(57)【要約】      （修正有）【課題】暗灯下で複数の平版刷版だけを重ねて束ねた状態のものを装填台に装填する作業を容易にかつ適切に行える自動供給装置を提供する。【解決手段】平版刷版１１１の自動供給装置のハウジングによって、その内部にある平版刷版１１１の感光層が感光しないように遮光し、ハウジングの一部に、閉じた状態で内部に光が侵入しないように構成された遮光扉１４２を開閉可能に装着し、ハウジングの内部に装填台１４４を配置し、遮光扉１４２を開けた状態で装填台１４４の上に、一方の平版刷版１１１の表面上に他方の平版刷版１１１の裏面を直接接触させて積層することにより平版刷版１１１が所定複数枚重ねられて束にされたものを装填可能なように構成し、平版刷版１１１の感光層が感光する波長を持たない光を照射して平版刷版１１１の束の装填作業を容易にする。【選択図】図３
2007011114.tif 000002
【特許請求の範囲】
【請求項１】
内部にある平版刷版の感光層が感光しないように遮光するハウジングと、
前記ハウジングの一部に開閉可能に装着され、閉じた状態で内部に光が侵入しないように構成された遮光扉と、
前記遮光扉を開けた状態で、一方の平版刷版の表面上に他方の平版刷版の裏面を直接接触させて積層することにより前記平版刷版が所定複数枚重ねられて束にされたものを装填可能なように、前記ハウジングの内部に配置された装填台と、
前記装填台における、前記平版刷版が所定複数枚重ねられて束を載置する部分へ前記平版刷版の感光層が感光する波長を持たない光を照射するよう、前記ハウジングの内部に配置された暗灯照明装置と、
を有することを特徴とする平版刷版の自動供給装置。
【請求項２】
前記暗灯照明装置を、前記遮光扉が開いたときに点灯し、前記遮光扉が閉じたときに消灯する手段を設けたことを特徴とする請求項１に記載の平版刷版の自動供給装置。
【請求項３】
前記暗灯照明装置を、光源から出射される光を、前記平版刷版の感光層が感光する波長の光を除外するフィルターを通してから照射させるように構成したことを特徴とする請求項１又は請求項２に記載の平版刷版の自動供給装置。
【請求項４】
前記暗灯照明装置を、前記平版刷版の感光層が感光する波長の光を出射しないＬＥＤで構成したことを特徴とする請求項１又は請求項２に記載の平版刷版の自動供給装置。
【発明の詳細な説明】
【技術分野】
【０００１】
この発明は、複数の平版刷版だけを束ねた状態のものを暗灯照明下で装填台に装填し、装填された平版刷版の束から平版刷版を１枚づつ分離して搬出する枚葉供給装置を備えた平版刷版の自動供給装置に関する。
【背景技術】
【０００２】
一般に、オフセット印刷には、平版刷版として感光性印刷版（いわゆるフォトポリマーＰＳ版）又はいわゆるサーマルＰＳ版等が利用されている。また、この平版印刷の分野では、未露光の感光性印刷版の供給を受けて、この感光性印刷版に対しコンピュータ等のデジタルデータに基づいてレーザ露光処理をし、自動現像機で感光性印刷版上に形成された潜像を顕像に変換する現像処理をして直接印刷版を製版するＣＴＰ（Ｃｏｍｐｕｔｅｒ  ｔｏ  Ｐｌａｔｅ）システムが実用化されている。
【０００３】
ＣＴＰシステムに用いられる平版刷版としての感光性印刷版には、薄いアルミニウム基板の表面上へ感光剤を層状に塗布して感光層（記録層）が構成されている。さらに、このような感光性印刷版（ＰＳ版）には、アルミニウム基板に塗布する感光剤を外力に対し強い特性（例えば、通常のＰＳ版の２０倍以上の強度特性）とし、合紙の保護を必要とせず、じかに重ねて束ねた状態で取り扱っても傷が問題とならない程度に記録層側の表面を強化した、表面強化型のフォトポリマＰＳ版（いわゆる合紙レス平版刷版）がある。
【０００４】
このような合紙レス平版刷版（合紙レスＰＳ版）を使用するＣＴＰシステムには、平版刷版の自動供給装置を備えたものがある。この平版刷版の自動供給装置では、一方の感光性印刷版表面の感光面上に他方の感光性印刷版の裏面を直接接触させて積層し、所定複数枚重なった束を、遮光された自動供給装置のハウジング内に装填し、製版作業の開始と共に自動供給装置の枚葉供給装置によって感光性印刷版の束から感光性印刷版を１枚ずつ分離して、露光処理部側へ搬出するものの開発が進められている。
【０００５】
この平版刷版の自動供給装置は、合紙レス平版刷版の取り出し機構とＰＳ版搬送機構で構成する。この平版刷版の自動供給装置では、合紙レス平版刷版の枚葉供給手段として構成するため、合紙取り出し機構、合紙搬送機構及び合紙集積部が不要となり、高生産性、低価格、省スペースな構成をとることが可能である。
【０００６】
また、ＣＴＰシステムに用いられる感光性印刷版は、その感光層を構成する感光剤の感度が高いため、僅かな光によっても露光されて感光層に変化（いわゆる光カブリ）を生じるという性質を持つ。そこで、感光性印刷版は、工場等で製造してから、運搬し、保管する流通過程を経てＣＴＰシステムの自動供給装置に装填するまでの間に、感光性印刷版の品質変化を生じることを防止するため、感光性印刷版を所定の枚数づつ束にし、その束の表面及び裏面にそれぞれ厚紙（段ボール製のいわゆる当てボール）を配置し、これらを粘着テープ等の固定手段で束ずれを抑制するよう固定し、さらに、遮光性を有する内装紙によって梱包するのが普通である。
【０００７】
ここで、従来の自動製版機では、感光性印刷版の供給装置の装填台に所定枚数の感光性印刷版の束を装填する作業を行う場合に、感光性印刷版の装填作業用の暗室設備を別途用意する。そして、作業者は、この暗室中に梱包された感光性印刷版の束を運び込んで感光性印刷版の梱包を開梱して、感光性印刷版の束の表面と裏面からそれぞれ厚紙（当てボール）を取り除いてから複数枚の感光性印刷版の束を印刷版包装箱に収納し、開閉蓋を閉じて遮光し、これを明室中に配置した自動製版機の感光性印刷版供給装置へ運んで、感光性印刷版供給装置内の印刷版供給カセットへ装填し、感光性印刷版供給装置の扉を閉じて装置内部を遮光する。このようにして感光性印刷版の束が装填される感光性印刷版供給装置では、自動装置で印刷版包装箱の開閉蓋を開き、印刷版包装箱の内部に収納した感光性印刷版の束から自動供給装置の枚葉搬出機構によって感光性印刷版を１枚ずつ分離して、露光処理部側へ搬出する（例えば、特許文献１参照。）。
【０００８】
しかし、上述した従来の感光性印刷版供給装置を備えた自動製版機では、この自動製版機を設置した部屋の他に、感光性印刷版の梱包を開梱するため、感光性印刷版の装填作業用の暗室設備を別途用意する必要があるから、自動製版機を利用するために必要となる設備が大掛かりとなり、暗室を設置する費用が嵩むという問題がある。
【０００９】
また、上述した従来の自動製版機の感光性印刷版供給装置では、感光性印刷版の束を収納した印刷版包装箱の開閉蓋を開かせる動作を行うために構造が複雑で大型となる、開閉蓋の自動開閉装置を別途設置する必要があるので、感光性印刷版供給装置の構成が複雑で大型化し高価になるという問題がある。
【特許文献１】特開平１１−３１４７７１号公報
【発明の開示】
【発明が解決しようとする課題】
【００１０】
本発明は、上述の問題に鑑み、暗灯下で、複数の平版刷版だけを重ねて束ねた状態のものを、自動供給装置内の装填台に装填する作業を容易に、かつ適切に行えるようにした、構成が簡素で廉価に製造可能な平版刷版の自動供給装置を新たに提供することを目的とする。
【課題を解決するための手段】
【００１１】
本発明の請求項１に記載の平版刷版の自動供給装置は、内部にある平版刷版の感光層が感光しないように遮光するハウジングと、ハウジングの一部に開閉可能に装着され、閉じた状態で内部に光が侵入しないように構成された遮光扉と、遮光扉を開けた状態で、一方の平版刷版の表面上に他方の平版刷版の裏面を直接接触させて積層することにより平版刷版が所定複数枚重ねられて束にされたものを装填可能なように、ハウジングの内部に配置された装填台と、装填台における、平版刷版が所定複数枚重ねられて束を載置する部分へ平版刷版の感光層が感光する波長を持たない光を照射するよう、ハウジングの内部に配置された暗灯照明装置と、を有することを特徴とする。
【００１２】
請求項２に記載の発明は、請求項１に記載の平版刷版の自動供給装置において、暗灯照明装置を、遮光扉が開いたときに点灯し、遮光扉が閉じたときに消灯する手段を設けたことを特徴とする。
【００１３】
請求項３に記載の発明は、請求項１又は請求項２に記載の平版刷版の自動供給装置において、暗灯照明装置を、光源から出射される光を、平版刷版の感光層が感光する波長の光を除外するフィルターを通してから照射させるように構成したことを特徴とする。
【００１４】
請求項４に記載の発明は、請求項１又は請求項２に記載の平版刷版の自動供給装置において、暗灯照明装置を、平版刷版の感光層が感光する波長の光を出射しないＬＥＤで構成したことを特徴とする。
【００１５】
前述のように構成することにより、平版刷版の自動供給装置のハウジング内に配置された暗灯照明装置により、装填台における平版刷版の束を載置する部分へ平版刷版の感光層が感光する波長を持たない光を照射するから、作業者は、手元が明るい状態で作業ができ、載置する位置を容易に確認し平版刷版の束を周囲の部材に接触させることなく良好に装填することができる。また、平版刷版の自動供給装置に平版刷版の束を装填する作業を行えるようにするため、平版刷版の自動供給装置が設置される暗室では、平版刷版の自動供給装置のハウジングにおける遮光扉の内側といった奥まった所まで、装填作業に十分な光を照射するように多くの天井暗灯照明等を設置しなくても済むので、暗室を簡便にかつ廉価に構成できる。
【発明の効果】
【００１６】
本発明の平版刷版の自動供給装置によれば、簡便な暗室内で、自動供給装置内に装填台付近を照らす暗灯照明を設置するだけの簡素で廉価な構成により、この装填台付近を照らしながら、複数の平版刷版だけを束ねた状態のものを装填台に装填する作業を容易に、かつ適切に行うことができるという効果がある。
【発明を実施するための最良の形態】
【００１７】
本発明の平版刷版の自動供給装置に関する実施の形態について図１乃至図５により説明する。本実施の形態に係わる平版刷版の自動供給装置は、例えば、現在市販されている一般の感光性印刷版（ＰＳ版）と比較して、感光性印刷版の表面に感光剤を塗布して形成された感光面が外力に対し強く（２０倍以上）、合紙の保護を必要としないフォトポリマＰＳ版である、いわゆる合紙レス感光性印刷版（合紙レスＰＳ版）を所定複数枚束にしたものを装置内に装填し、枚葉供給装置で各平版刷版を１枚づつ分離して搬出する送給作業を可能に構成する。
【００１８】
すなわち、この平版刷版の自動供給装置に用いる合紙レス平版刷版としての合紙レス感光性印刷版（合紙レス感光性印刷版）は、所定サイズの長方形の板状に形成された薄いアルミニウム板である支持体上に、感光材料を含有する感光面（画像記録層である感光剤面）を塗布して形成された感光面が設けられている。
【００１９】
この平版刷版の自動供給装置に用いる合紙レス感光性印刷版は、これを製造してから所定複数枚の感光性印刷版を、合紙を廃止して、感光性印刷版の表面に当たる感光面（感光剤面であるＥｍ面）に感光性印刷版の裏面に当たる（ＰＳ版アルミ面であるＢａｃｋ面）を直接接触させる状態で積層して束にした状態で、運搬や保管を行い、さらに感光性印刷版の母材であるアルミ面で感光面を擦りながら感光性印刷版を１枚づつ分離して搬出しても、傷や圧力カブリ等を生じないという特性を持つ。
【００２０】
また、この平版刷版の自動供給装置に用いる合紙レス感光性印刷版は、感光性印刷版の裏面に当たるアルミニュウム材料面であるＢａｃｋ面に、その下に積み重ねられた感光性印刷版表面の記録面に対して擦れ傷を付けることを防止するためのオーバーコート層を塗布したものであっても良い。
【００２１】
この合紙レス感光性印刷版は、製造後、合紙無しで所定複数枚積み重ねられることにより直方体の束にされて梱包され、搬送及び保管等の取り扱いが容易な状態とされる。この合紙レス感光性印刷版は、梱包を解いてから合紙無しで所定複数枚積み重ねられた束の状態で、ＣＴＰシステムに設けた平版刷版の自動供給装置の内部へ遮光状態で供給する。
【００２２】
このＣＴＰ（Ｃｏｍｐｕｔｅｒ  ｔｏ  Ｐｌａｔｅ）システムは、コンピュータ等のデジタルデータに基づいてレーザ露光処理をし、自動現像機で感光性印刷版上に形成された潜像を顕像に変換する現像処理をして直接印刷版を製版する。
【００２３】
図１及び図２に示すように、このＣＴＰシステム１００は、合紙無しで所定複数枚積み重ねられた平版刷版１１１の束が供給される自動供給装置１１０と、この自動供給装置１１０に連続して合紙レス感光性印刷版である平版刷版１１１の束から平版刷版１１１（ＰＳ版）を１枚づつ分離して供給する枚葉供給装置１１２と、インナードラム露光装置（モノゴンスキャナー）１１４と、バッファ装置１１６と、現象処理装置１１８とを備える。
【００２４】
このＣＴＰシステム１００における自動供給装置１１０は、その内部で枚葉供給装置１１２と連続するように構成されている。この自動供給装置１１０のハウジングにおける端部側面には、観音開きに構成され、閉じた状態で自動供給装置１１０の内部に光が侵入しないように遮光可能に構成された遮光扉１４２を装着する。
【００２５】
この自動供給装置１１０では、遮光扉１４２の内側に枚葉供給装置１１２を構成するため、装填台１４４を設置する。この装填台１４４は、自動供給装置１１０の床面からインナードラム露光装置１１４側の上部へかけて所定角度θで斜めに配置した支持台１６０の下端部に、高さ位置を調整可能なように棚部材１６２を装着して構成する。
【００２６】
さらに図３に示すように、支持台１６０には、棚部材１６２上に置いた感光性印刷版である平版刷版１１１の束の両横側端部にそれぞれ当接することにより位置決めして保持するための突片状のガイド部材１６４を配置する。なお、平版刷版１１１の束の両横側部に対応した各ガイド部材１６４は、それぞれ感光性印刷版である平版刷版１１１のサイズに対応して位置を変更調整可能に装着する。
【００２７】
この装填台１４４の角度θは、支持台１６０を水平に対して角度６０度から角度８０度の範囲、好ましくは角度７０度とする。
【００２８】
図２及び図３に示すように、装填台１４４上には、合紙無しで所定複数枚積み重ねられた平版刷版１１１の束を、この束の搬送方向上流側端部を棚部材１６２の上に載せ、平版刷版１１１の束の両横側部に各々対応するガイド部材１６４を当接させて位置決めした状態で、支持台１６０の表面に斜めに持たせ掛けるようにして載置する。
【００２９】
このように平版刷版１１１の束を載置することにより、所定角度で斜めに配置した支持台１６０上に載置された合紙無しで所定複数枚積み重ねられた平版刷版１１１の束における、最も表面側に位置する平版刷版１１１は、その自重によりその下にある平版刷版１１１に圧接する力を、装填台１４４を水平に配置する場合と比較して減少させることができる。
【００３０】
さらに、このように構成する場合には、装填台１４４を水平に配置する場合と比較して自動供給装置１１０の水平方向の大きさを削減して装置の小型化を図ることができる。
【００３１】
ここで、ＣＴＰシステム１００で使用する平版刷版１１１である感光性印刷版（ＰＳ版）は、波長４０５ｎｍのバイオレットレーザー光によって感光し、画像が記録されるものである。
【００３２】
よって、この平版刷版１１１である感光性印刷版は、現像前に、蛍光灯や太陽光などの白色光（波長４００〜８００ｎｍ）を浴びると感光してしまい、画像記録が不可能となる。
【００３３】
従って、自動供給装置１１０へ平版刷版１１１である感光性印刷版を装填し又は交換する場合には、太陽光を遮断し白色光（室内灯）を消灯した状態で、波長４０５ｎｍの光を除いた暗室照明で行わなければならない。
【００３４】
そこで、この自動供給装置１１０では、平版刷版１１１の束を装填し又は交換する際に、暗室の中で、遮光扉１４２を開いて内部に配置された装填台１４４上に平版刷版１１１の束を位置決めして載置するセット作業を容易にするため、自動供給装置１１０のハウジング内の所定位置に、暗灯照明装置１０を配置する。
【００３５】
この暗灯照明装置１０は、平版刷版１１１の感光層が感光する波長を持たない光を、感光層を感光させるような影響を与えず、しかも作業員が目視で作業を行うのに必要な所要の照度で、照射するよう構成する。
【００３６】
この暗灯照明装置１０は、例えば光源から出射される光を平版刷版１１１の感光層が感光する波長の光を除外するフィルターを通してから照射させるために平版刷版１１１が感光する波長の光を除外するフィルターを巻いた蛍光灯を用い、又は平版刷版１１１が感光する波長の光を出射しないＬＥＤ等の一般に用いられている暗灯用光源で構成することができる。
【００３７】
この暗灯照明装置１０を自動供給装置１１０のハウジング内に配置する場所は、暗室の中で遮光扉１４２を開いたとき暗室に設けられた暗灯照明から照射される光の影となる部所に装填台１４４があっても、暗灯照明装置１０から照射される光によって装填台１４４の支持台１６０と棚部材１６２とガイド部材１６４とが照らされて、作業者が、これらを十分に認識して、平版刷版１１１の束を棚部材１６２やガイド部材１６４等に接触させて傷つけるミスを生じないように適切に装填作業を行える場所に設定する。
【００３８】
この自動供給装置１１０では、平版刷版１１１が感光する波長の光を除外するフィルターを巻いた蛍光灯で構成した暗灯照明装置１０を、そのハウジング内における天井内側で遮光扉１４２から寄りで装填台１４４の直上位置に支持台１６０の幅方向と、暗灯照明装置１０の長さ方向とが平行となるように配置する。
【００３９】
なお、暗灯照明装置１０は、自動供給装置１１０のハウジング内部における天井だけでなく、両側面又は底面に配置しても良い。さらに、暗灯照明装置１０は、単数配置する構成に限られるものではなく、複数の暗灯照明装置１０を自動供給装置１１０のハウジング内部における天井、側面、底面又はハウジング内の３次元的に任意の位置に分散して配置しても良い。この暗灯照明装置１０を、自動供給装置１１０のハウジング内の３次元的に任意の位置に配置する場合には、支持部材等を利用して配置することができる。
【００４０】
この暗灯照明装置１０は、暗灯照明装置１０から照射した光を反射部材を利用して、間接照明で装填台１４４の所要部を照らすように配置構成しても良い。
【００４１】
また、この暗灯照明装置１０は、自動的に点灯又は消灯の動作を行わせるため、遮光扉１４２の開閉動作を検出するセンサやスイッチ等を利用して、遮光扉１４２が開いたときに点灯し、遮光扉１４２が閉じたときに消灯するように構成しても良い。または、このＣＴＰシステム１００における図示しないコントロールパネルに、作業者が平版刷版１１１の束を装填又は交換するモードに設定する指令を入力したときに暗灯照明装置１０を点灯させ、作業者が平版刷版１１１の装填又は交換するモードを解除する指令を入力したときに暗灯照明装置１０を消灯させるように制御しても良い。
【００４２】
また、この暗灯照明装置１０は、手動で点灯又は消灯の動作を行わせるため、暗灯照明装置１０用のＯＮ、０ＦＦスイッチを自動供給装置１１０に設置しても良い。なお、この暗灯照明装置１０は、常時点灯させておくことも可能である。
【００４３】
また、この枚葉供給装置１１２には、装填台１４４の上側の位置に、複数の合紙レス平版刷版１１１の束における最上部位置にある搬出される感光性印刷版である平版刷版１１１を１枚づつ分離して搬出するためのローラピック方式に構成された搬出手段を配置する。この枚葉供給装置１１２では、ローラピック方式の搬出手段としてのゴムローラ製の搬出用ローラ１４６を装着する。この搬出用ローラ１４６は、図示しない制御装置で駆動制御される駆動モータで回転駆動する。
【００４４】
このように構成された搬出用ローラ１４６は、装填台１４４上に載置された複数の合紙レス平版刷版１１１の束における最上部位置にある平版刷版１１１に圧接されるピックアップ位置にセットされてから、制御装置によって駆動モータを駆動制御し、搬出用ローラ１４６を回転駆動することにより、搬出用ローラ１４６を装填台１４４に載置された平版刷版１１１の束の１番上にある平版刷版１１１上で転動させて、１枚だけを分離し搬送ベルト巻き掛け機構へ送給する。
【００４５】
この搬送ベルト巻き掛け機構には、各平版刷版１１１を装填台１４４からインナードラム露光装置１１４まで搬送するために、主搬送ベルト１４８を張架した主搬送ベルト巻き掛け機構１５０と、副搬送ベルト１５２を張架した副搬送ベルト巻き掛け機構１５４とを設置する。
【００４６】
この主搬送ベルト巻き掛け機構１５０は、装填台１４４上部に当たる平版刷版１１１の搬入位置から、インナードラム露光装置１１４への搬出位置との間に搬送ベルト１４８を張架して搬送路を構成する。
【００４７】
また、副搬送ベルト巻き掛け機構１５４は、主搬送ベルト巻き掛け機構１５０における主搬送ベルト１４８の下側に設定される搬送路の一部を共用して搬送中の平版刷版１１１が脱落することを防止するよう構成する。
【００４８】
このため、副搬送ベルト巻き掛け機構１５４は、主搬送ベルト１４８における、装填台１４４から搬出された各平版刷版１１１の先端が突き当てられるガイド範囲より搬送方向下流側の中間ローラ１５６から、主搬送ベルト１４８の下側に設定される搬送路の出口に近い中間ローラ１５８の区間で、主搬送ベルト１４８と副搬送ベルト１５２とが添うようになって走行するよう巻き掛けて構成する。
【００４９】
このように構成された主搬送ベルト巻き掛け機構１５０では、搬出用ローラ１４６によって１枚だけ分離されて搬出された平版刷版１１１の先端が、主搬送ベルト１４８における先端の第１ローラ１５１と中間ローラ１５６との間に張架された部分に相当するガイド範囲１４８Ａに当たり、主搬送ベルト１４８の走行動作に従って中間ローラ１５６側へ搬送される。
【００５０】
この枚葉供給装置１１２では、搬出用ローラ１４６によって搬出された平版刷版１１１の先端が、ガイド範囲１４８Ａに張架されている主搬送ベルト１４８に当たり、主搬送ベルト１４８が弾力的に容易に変形して平版刷版１１１に衝撃を与えないように受けると共に、平版刷版１１１の先端が当たった部分の主搬送ベルト１４８が略への字状に変形し、平版刷版１１１が撓んでその先端部が中間ローラ１５６の位置で主搬送ベルト１４８と副搬送ベルト１５２との間にスムーズに挟み込まれるようにできる。このように平版刷版１１１は、その先端が主搬送ベルト１４８に当たったときに、弾力的に柔らかく受けられるので、感光面１０Ａを形成する感光層に外傷を与えないようにできる。
【００５１】
また、この枚葉供給装置１１２では、平版刷版１１１の束から何枚目の平版刷版１１１を搬出する場合であっても、搬出用ローラ１４６が転接して引き上げられる平版刷版１１１の先端が必ずガイド範囲１４８Ａ内で主搬送ベルト１４８に当たるようにし適切に搬出できる。
【００５２】
よって、この枚葉供給装置１１２では、平版刷版１１１の束から平版刷版１１１が引き出される毎に、その引き出し位置が変わっても適切に搬出できるから、装填台１４４に平版刷版１１１の引き出し位置を調整するための複雑な装置を設ける必要がないので、構成を簡素化し、装置を小型化することができる。
【００５３】
そして、先端を主搬送ベルト１４８にガイドされた平版刷版１１１は、中間ローラ１５６の位置で、主搬送ベルト１４８と副搬送ベルト１５２との間に挟み込まれて挟持された状態で搬送路上を搬送され、出口に近い中間ローラ１５８の位置で挟持状態を開放され、インナードラム露光装置１１４へ搬入される。
【００５４】
このＣＴＰシステム１００におけるインナードラム露光装置１１４は、円弧内周面形状（円筒内周面の一部を構成する形状）の支持体１３４を母体として構成されており、この支持体１３４の内周面に沿って平版刷版１１１を支持するようになっている。
【００５５】
このインナードラム露光装置１１４では、図示しない真空吸着手段によって、未記録の記録媒体である平版刷版１１１を支持体１３４の内周面に確実に密着させて沿わせた状態に保持してから露光処理を行う。
【００５６】
このインナードラム露光装置１１４では、支持体１３４の円弧中心位置に、光ビーム偏向器としてのスピナーミラー装置１３６を配設する。このスピナーミラー装置１３６は、反射鏡部材（スピナーミラー）１３８を頂面に配置した回転軸１４０を、図示しない制御装置のスピナードライバによって回転制御がされる駆動源としてのモータによって高速回転可能に構成する。このスピナーミラー装置１３６では、回転軸１４０の回転中心軸を支持体１３４の円弧中心軸と一致するように構成する。
【００５７】
このスピナーミラー装置１３６では、光源側の光学系から投射された光ビームを、回動する反射鏡部材１３８の反射鏡面に反射させて平版刷版１１１の感光面に対して主走査方向への走査露光を行う。
【００５８】
このスピナーミラー装置１３６は、図示しない副走査移動手段によって、支持体１３４の円弧中心軸の軸線方向（図２の表面から裏面に貫通する方向）に等速度で移動制御されることにより副走査する。
【００５９】
このためスピナーミラー装置１３６では、制御装置のスピナードライバによって、そのモータの回転制御がされると共に、図示しない副走査移動手段により副走査方向に移動制御される。
【００６０】
このように構成されたスピナーミラー装置１３６は、光源側の光学系から投射され画像情報に応じて変調された光ビームを、回動する反射鏡部材１３８の反射鏡面に反射させて主走査方向への走査露光を行いながら、スピナーミラー装置１３６を副走査方向へ移動することによって、平版刷版１１１の記録面全面に対して２次元の画像を記録する処理を行う。
【００６１】
このＣＴＰシステム１００に設けるバッファ装置１１６は、インナードラム露光装置１１４で露光処理された平版刷版１１１を、搬送速度を調整することによって所要のタイミングで現象処理装置１１８へ搬入する機能を有する。
【００６２】
現象処理装置１１８は、搬入されて来た露光済の平版刷版１１１に対する現像処理を行って潜像を顕像化して印刷版を製版する。
【００６３】
なお、前述した平版刷版の自動供給装置は、前述した合紙の保護を必要としないフォトポリマＰＳ版以外に、例えば、いわゆるサーマルＰＳ版で、表面に形成された画像を形成する記録層に傷が付くことを防止するため、記録層の最外表面上にオーバーコート層（現像前の水洗工程で完全に除去できる水溶性材料で構成されたＯＣ層等）が塗布されているものを利用することができる。さらに、平版刷版の自動供給装置は、合紙の保護を必要とせず、じかに重ねて束ねた状態で取り扱っても傷が問題とならない程度に記録層側の表面を強化した表面強化型のサーマルＰＳ版を利用することができる。
【００６４】
また、この平版刷版の自動供給装置の構成は、一般に平版印刷の分野で用いられる製版方式に対応した平版刷版である、光を利用して記録層に画像を記録する（光モード）の平版刷版、熱を利用して記録層に画像を記録する（熱モード）の平版刷版、記録層中で光を熱に変換させて画像を記録する（光、熱モード）の平版刷版、化学反応を利用した平版刷版、物理的な現象を利用した平版刷版を一枚づつ分離して供給することに利用できることは勿論である。
【００６５】
上述のように構成されたＣＴＰシステム１００は、平版刷版１１１だけを積み重ねて束にしたものを、自動供給装置１１０内の装填台１４４に装填し又は交換する作業を容易にするため、例えば図４及び図５に示すような、比較的簡便な構成の暗室１２内に設置する。
【００６６】
この暗室１２は、その中央の床上にＣＴＰシステム１００を設置し、出入口のドア１４の前に、暗幕（暗室カーテン）１６、１８を開閉可能に配置し、窓ガラス２０、２２の前にそれぞれ暗幕（暗室カーテン）２４、２６を開閉可能に配置し、これら暗幕１６、１８及び暗幕２４、２６を閉めた状態にしたとき外光が遮断されて暗室１２内が十分に暗くなるように構成する。
【００６７】
この暗室１２の天井の所定複数箇所（本実施の形態では、４箇所）には、それぞれＣＴＰシステム１００の自動供給装置１１０に平版刷版の束を装填し又は交換する作業を行うときに点灯するための暗灯（天井照明）２８を設置する。この暗灯２８は、平版刷版１１１の感光層が感光する４０５ｎｍの光を除去する光学フィルターを備えた灯火を用いる。なお、この暗灯２８は、暗灯照明装置１０と同様に、平版刷版１１１が感光する波長の光を除外するフィルターを巻いた蛍光灯、又は平版刷版１１１が感光する波長を出射しないＬＥＤ等を利用して構成することができる。
【００６８】
さらに、暗室１２の天井には、各暗灯２８に各々隣接して通常の蛍光灯（天井照明）３０を設置する。
【００６９】
この暗室１２の内部には、平版刷版１１１の検版作業を行うための、検版台３２を設置する。この検版台３２の上には、検版作業用の蛍光灯３４を設置する。
【００７０】
また、この暗室１２の内部には、ＣＴＰシステム１００の操作に利用されるオペレーションパネル（モニタ装置）３６及びＣＴＰシステム１００で平版刷版１１１上に形成する画像情報の編集処理用装置（ＲＩＰ）用のオペレーションパネル（モニタ装置）３８がある。よって、これらオペレーションパネル３６、３８には、平版刷版１１１が感光する波長の光を除外するフィルターを配置し、オペレーションパネル３６、３８から出射される光で平版刷版１１１が感光されることを防止する。
【００７１】
このように構成された暗室１２では、ＣＴＰシステム１００で平版刷版１１１を処理して印刷版を製版する作業を行うときに、暗幕１６、１８及び暗幕２４、２６を開いて外光が室内に入る状態とし、蛍光灯３０と蛍光灯３４を点灯して作業に必要な照度が得られる状態とする。
【００７２】
次に、ＣＴＰシステム１００の自動供給装置１１０内の装填台１４４に、平版刷版１１１だけを積み重ねて束にしたものを装填し又は交換する作業を開始する場合には、出入口のドア１４の前にある暗幕１６、１８を閉じ、窓ガラス２０、２２の前にそれぞれある暗幕２４、２６を閉じて外光を遮断する。
【００７３】
次に、蛍光灯３０及び蛍光灯３４を消灯し、暗灯２８を点灯した図５に示す状態とする。そして、ＣＴＰシステム１００の自動供給装置１１０用の図示しないオペレーションパネルを操作して、「ＰＳ版装填モード」にする。この後、自動供給装置１１０の遮光扉１４２のロックを解除し、遮光扉１４２を開ける。
【００７４】
このとき、遮光扉１４２の動作に関連して暗灯照明装置１０を自動点灯させる構成のものでは、暗灯照明装置１０が自動的に点灯する。
【００７５】
この暗室１２内の状態では、ＣＴＰシステム１００の全体が、暗灯２８で照明されると共に、自動供給装置１１０のハウジング内部にある装填台１４４の部分が暗灯照明装置１０で照明されているので、作業員は、平版刷版１１１の束の梱包を解いて、平版刷版１１１の束を装填台１４４の支持台１６０上に載置する。
【００７６】
このとき、作業員は、暗灯照明装置１０により、支持台１６０上が良好に照明されているので棚部材１６２とガイド部材１６４との位置を十分に目視で確認できるから、平版刷版１１１の束を棚部材１６２やガイド部材１６４に接触させて傷付けることなく適切に装填する作業を行える。
【００７７】
よって、この暗室１２では、天井に配置した暗灯２８の照明だけで自動供給装置１１０のハウジング内の装填台１４４を十分に照明することができなくても良いから、暗室１２を簡便で廉価に構成することができる。
【００７８】
次に、平版刷版１１１の束を装填台１４４に装填した後に、作業員は、遮光扉１４２を閉じてロックを施錠する。このとき、遮光扉１４２の動作に関連して暗灯照明装置１０を自動消灯させる構成のものでは、暗灯照明装置１０が自動的に消灯し、図４に示す状態とする。
【００７９】
次に、作業員は、ＣＴＰシステム１００の自動供給装置１１０用の図示しないオペレーションパネルを操作して、「露光モード」にする。
【００８０】
この後、作業員は、暗幕１６、１８及び暗幕２４、２６を開き、蛍光灯３０、蛍光灯３４を点灯し、暗灯２８を消灯して、印刷版を製版する作業を再開する。
【図面の簡単な説明】
【００８１】
【図１】本発明の実施の形態に係わる平版刷版の自動供給装置を備えたＣＴＰシステムの全体を示す斜視図である。
【図２】本発明の実施の形態に係わる平版刷版の自動供給装置を備えたＣＴＰシステム内部の全体的な概略構成図である。
【図３】本発明の実施の形態に係わる平版刷版の自動供給装置内に、平版刷版の束を装填する状態を示す要部の概略斜視図である。
【図４】本発明の実施の形態に係わる平版刷版の自動供給装置を備えたＣＴＰシステムを設置する暗室における、印刷版を製版する作業の状態を示す概略構成図である。
【図５】本発明の実施の形態に係わる平版刷版の自動供給装置を備えたＣＴＰシステムを設置する暗室における、平版刷版の束を装填し又は交換する作業の状態を示す概略構成図である。
【符号の説明】
【００８２】
１０  暗灯照明装置
１２  暗室
１００      ＣＴＰシステム
１１０      自動供給装置
１１１      平版刷版
１１２      枚葉供給装置
１１４      インナードラム露光装置
１４２      遮光扉
１４４      装填台
１４６      搬出用ローラ
１６０      支持台
１６２      棚部材
１６４      ガイド部材
【図１】
2007011114.tif 000003
【図２】
2007011114.tif 000004
【図３】
2007011114.tif 000005
【図４】
2007011114.tif 000006
【図５】
2007011114.tif 000007